(57)【要約】【課題】第１端末と第２端末とで第１加熱手段を共有しつつ、第１端末と第２端末とに、異なる温度の高温媒体を供給可能な高温媒体供給装置を提供する。【解決手段】給水を加熱して高温水（給湯、湯張り水）を生成する給湯用熱交換器３０と、給湯用熱交換器３０と温水コックＸとを接続し、給湯用熱交換器３０からの給湯を温水コックＸに供給する給湯回路４０と、給湯用熱交換器３０と浴槽Ｙとを接続し、給湯用熱交換器３０からの湯張り水を浴槽Ｙに供給する湯張り回路５０と、給湯用熱交換器３０からの湯張り水と、湯張り水よりも低温の給水とを混合する混合弁６０と、を備える給湯機１であって、給湯要求と湯張り要求とが同時にある場合において、設定給湯温度が設定ふろ温度よりも高いとき、給湯用熱交換器３０は、その目標温度を設定給湯温度とし、混合弁６０は、浴槽Ｙに向かう湯張り水が設定ふろ温度となるように、湯張り水と給水とを混合する。【選択図】図１
2012017958.tif 000002
【特許請求の範囲】
【請求項１】
低温媒体を加熱して高温媒体を生成する第１加熱手段と、
前記第１加熱手段と第１端末とを接続し、前記第１加熱手段からの高温媒体を前記第１端末に供給する第１供給回路と、
前記第１加熱手段と第２端末とを接続し、前記第１加熱手段からの高温媒体を前記第２端末に供給する第２供給回路と、
前記第２供給回路に設けられ、前記第１加熱手段からの高温媒体と、前記高温媒体よりも低温の低温媒体とを混合する第１混合弁と、
を備える高温媒体供給装置であって、
前記第１端末からの高温媒体要求と、前記第２端末からの高温媒体要求とが同時にある場合において、前記第１端末で要求される目標第１温度が、前記第２端末で要求される目標第２温度よりも高いとき、
前記第１加熱手段は、その目標温度を前記目標第１温度とし、
前記第１混合弁は、前記第２端末に向かう高温媒体が前記目標第２温度となるように、前記第１加熱手段からの高温媒体と、低温媒体とを混合する
ことを特徴とする高温媒体供給装置。
【請求項２】
前記第２供給回路に設けられ、前記第１加熱手段から前記第２端末に向かう高温媒体を遮断する遮断弁を備え、
前記第２端末からの高温媒体要求があり、前記遮断弁が開き、前記目標第２温度の高温媒体が前記第１加熱手段から前記第２端末に供給されている場合において、前記第１端末から前記目標第１温度での高温媒体要求があったとき、
前記遮断弁が前記第１加熱手段から前記第２端末に向かう高温媒体を一旦遮断し、前記第１加熱手段がその目標温度を前記目標第１温度とした後、
前記遮断弁が開き、
前記第１混合弁が、前記第２端末に向かう高温媒体が前記目標第２温度となるように、前記第１加熱手段からの前記目標第１温度の高温媒体と、低温媒体とを混合する
ことを特徴とする請求項１に記載の高温媒体供給装置。
【請求項３】
低温媒体を加熱して高温媒体を生成する第１加熱手段と、
前記第１加熱手段と第１端末とを接続し、前記第１加熱手段からの高温媒体を前記第１端末に供給する第１供給回路と、
前記第１加熱手段と第２端末とを接続し、前記第１加熱手段からの高温媒体を前記第２端末に供給する第２供給回路と、
前記第２端末の高温媒体を加熱する第２加熱手段と、
を備える高温媒体供給装置であって、
前記第１端末からの高温媒体要求と、前記第２端末からの高温媒体要求とが同時にある場合において、前記第１端末で要求される目標第１温度が、前記第２端末で要求される目標第２温度よりも低いとき、
前記第１加熱手段は、その目標温度を前記目標第１温度とし、
前記第２加熱手段は、前記目標第２温度となるように前記第２端末の高温媒体を加熱する
ことを特徴とする高温媒体供給装置。
【請求項４】
前記第２供給回路に設けられ、前記第１加熱手段から前記第２端末に向かう高温媒体を遮断する遮断弁を備え、
前記第２端末からの高温媒体要求があり、前記遮断弁が開き、前記目標第２温度の高温媒体が前記第１加熱手段から前記第２端末に供給されている場合において、前記第１端末から前記目標第１温度での高温媒体要求があったとき、
前記遮断弁が前記第１加熱手段から前記第２端末に向かう高温媒体を一旦遮断し、前記第１加熱手段がその目標温度を前記目標第１温度とした後、
前記遮断弁が開き、前記目標第１温度の高温媒体が前記第２端末に供給され、
前記第２加熱手段は、前記目標第２温度となるように前記第２端末の高温媒体を加熱する
ことを特徴とする請求項３に記載の高温媒体供給装置。
【発明の詳細な説明】
【技術分野】
【０００１】
本発明は、給湯端末等の第１端末と、浴槽端末等の第２端末とに、高温媒体（給湯、湯張り水）を供給する高温媒体供給装置に関する。
【背景技術】
【０００２】
従来のタンク式の給湯機（高温媒体供給装置）は、高温のタンク水を貯溜するタンクと、高温のタンク水と低温の給水（低温媒体）とを熱交換させ、給湯を生成する給湯用熱交換器（第１加熱手段）と、給湯を給湯端末（第１端末）に供給する第１供給回路と、高温のタンク水を浴槽端末（第２端末）に供給する第２供給回路と、を備えるものが知られている（特許文献１参照）。
なお、タンクには、タンクを保護するため減圧弁によって減圧された給水が導入され、タンク内の水は、ヒートポンプや電気ヒータによって加熱される。
【先行技術文献】
【特許文献】
【０００３】
【特許文献１】特開２００５−２０７６７２号公報
【発明の概要】
【発明が解決しようとする課題】
【０００４】
しかしながら、従来の給湯機は、タンク内の圧力の低いタンク水を浴槽端末に供給するので、タンク内の圧力以上で、浴槽端末にタンク水を供給できず、浴槽端末が高い位置に配置される場合や、タンクと浴槽端末とを接続する配管の抵抗が大きい・長い場合、浴槽端末に湯張りできない、又は、湯張りに時間を要する虞がある。
【０００５】
そこで、給湯用熱交換器で生成した給湯を、湯張り水として浴槽端末に供給する構成が考えられる。つまり、１つの給湯用熱交換器を、給湯端末と浴槽端末とで共有する構成が考えられる。
【０００６】
しかしながら、給湯端末からの給湯要求（高温媒体要求）と、浴槽端末からの湯張り要求（高温媒体要求）とが同時にあった場合において、要求された給湯温度（目標第１温度）と、要求されたふろ温度（目標第２温度）とが異なるとき、１つの給湯用熱交換器では、対応できないという不都合が生じる。
【０００７】
そこで、本発明は、第１端末と第２端末とで第１加熱手段を共有しつつ、第１端末と第２端末とに、異なる温度の高温媒体を供給可能な高温媒体供給装置を提供することを課題とする。
【課題を解決するための手段】
【０００８】
前記課題を解決するための手段として、本発明は、低温媒体（後記する実施形態では給水）を加熱して高温媒体（高温水）を生成する第１加熱手段（給湯用熱交換器）と、前記第１加熱手段と第１端末（温水コック）とを接続し、前記第１加熱手段からの高温媒体を前記第１端末に供給する第１供給回路（給湯回路）と、前記第１加熱手段と第２端末（浴槽）とを接続し、前記第１加熱手段からの高温媒体を前記第２端末に供給する第２供給回路（湯張り回路）と、前記第２供給回路に設けられ、前記第１加熱手段からの高温媒体と、前記高温媒体よりも低温の低温媒体（給水）とを混合する第１混合弁と、を備える高温媒体供給装置（給湯機）であって、前記第１端末からの高温媒体要求（給湯要求）と、前記第２端末からの高温媒体要求（湯張り要求）とが同時にある場合において、前記第１端末で要求される目標第１温度（設定給湯温度）が、前記第２端末で要求される目標第２温度（設定ふろ温度）よりも高いとき、前記第１加熱手段は、その目標温度（出口温度）を前記目標第１温度とし、前記第１混合弁は、前記第２端末に向かう高温媒体が前記目標第２温度となるように、前記第１加熱手段からの高温媒体と、低温媒体とを混合することを特徴とする高温媒体供給装置である。
【発明の効果】
【０００９】
本発明によれば、第１端末と第２端末とで第１加熱手段を共有しつつ、第１端末と第２端末とに異なる温度の高温媒体を供給可能な高温媒体供給装置を提供することができる。
【図面の簡単な説明】
【００１０】
【図１】本実施形態に係る給湯機の構成を示す図である。
【図２】本実施形態に係る給湯機の制御パターン選択処理を示すフローチャートである。
【図３】本実施形態に係る給湯機の制御パターンＡ（設定給湯温度＝設定ふろ温度）を示すフローチャートである。
【図４】本実施形態に係る給湯機の給湯運転を示すフローチャートである。
【図５】本実施形態に係る給湯機の湯張り運転を示すフローチャートである。
【図６】本実施形態に係る給湯機の制御パターンＢ（設定給湯温度＞設定ふろ温度）を示すフローチャートである。
【図７】本実施形態に係る給湯機の制御パターンＢ１（設定給湯温度＞設定ふろ温度、先に給湯）を示すフローチャートである。
【図８】本実施形態に係る給湯機の制御パターンＢ２（設定給湯温度＞設定ふろ温度、先に湯張り）を示すフローチャートの前半部分である。
【図９】本実施形態に係る給湯機の制御パターンＢ２（設定給湯温度＞設定ふろ温度、先に湯張り）を示すフローチャートの後半部分である。
【図１０】本実施形態に係る給湯機の制御パターンＣ（設定給湯温度＜設定ふろ温度）を示すフローチャートである。
【図１１】本実施形態に係る給湯機の制御パターンＣ１（設定給湯温度＜設定ふろ温度、先に給湯）を示すフローチャートである。
【図１２】本実施形態に係る給湯機の制御パターンＣ２（設定給湯温度＜設定ふろ温度、先に湯張り）を示すフローチャートの後半部分である。
【発明を実施するための形態】
【００１１】
以下、本発明の一実施形態について、図１〜図１２を参照して説明する。
【００１２】
≪給湯機の構成≫
本実施形態に係る貯湯式の給湯機１（高温媒体供給装置）は、タンク１１と、タンク１１に貯溜されているタンク水の温度を検出する温度センサ１２と、タンク水を加熱し沸き上げるヒートポンプ２０と、給水（低温媒体）を加熱して高温水（給湯、湯張り水、高温媒体）を生成する給湯用熱交換器３０（第１加熱手段）と、給湯用熱交換器３０で生成した高温水を温水コックＸ（第１端末、給湯端末）に供給する給湯回路４０（第１供給回路）と、給湯用熱交換器３０で生成した高温水を浴槽Ｙ（第２端末）に供給する湯張り回路５０（第２供給回路）と、湯張り回路５０に設けられた混合弁６０（第１混合弁）と、浴槽Ｙの風呂水を追い焚きする追焚き回路７０（第２加熱手段）と、リモコン８０と、これらを電子制御するコントローラ９０（制御手段）と、を備えている。
【００１３】
＜タンク、温度センサ＞
タンク１１は、その内部に水を貯溜する縦型のものである。
温度センサ１２は、タンク１１内の水の温度を検出し、コントローラ９０に出力するようになっている。なお、温度センサ１２は、タンク１１内の水の高さ方向における温度分布を検出可能なように、高さ方向において複数取り付けられている。
【００１４】
そして、外部の給水源からの給水（水道水）が、配管１３ａ、所定圧力に減圧する減圧弁１３、配管１３ｂを介して、タンク１１の下部（底部）に導入されるようになっている。
【００１５】
また、タンク１１の下部は、配管１４ａ、沸き上げポンプ１４、配管１４ｂ、コンデンサ２２（凝縮器）、配管１４ｃを介して、タンク１１の上部に接続されている。
そして、タンク１１内の水の沸き上げ時、つまり、ヒートポンプ２０（コンプレッサ２１）が作動している状態で、沸き上げポンプ１４が作動すると、タンク１１の下部のタンク水が沸き上げポンプ１４に吸引され、コンデンサ２２で加熱された後、タンク１１の上部に流入するようになっている。
【００１６】
＜ヒートポンプ＞
ヒートポンプ２０は、冷媒を圧縮／膨張させることで、熱を汲み上げ、配管１４ａ〜配管１４ｃを循環するタンク水を加熱し、沸き上げる装置である。
【００１７】
ヒートポンプ２０は、コントローラ９０の指令に従って作動し、冷媒を圧縮し高温とするコンプレッサ２１と、コンプレッサ２１からの高温の冷媒を凝縮させると共に、循環する水を加熱するヒータとなるコンデンサ２２（凝縮器）と、コンデンサ２２からの冷媒を膨張させる膨張弁２３と、外気の熱を吸熱し、膨張した冷媒を蒸発させるエバポレータ２４（蒸発器）と、を備えている。
【００１８】
なお、ヒートポンプ２０は、コントローラ９０によって、温度センサ１２を介して検出されるタンク水の温度が所定タンク水温度以上となるように、ＯＮ／ＯＦＦ制御される。
また、タンク水を加熱する加熱手段は、ヒートポンプ２０に限定されず、その他に例えば、タンク１１内に設けられ、通電すると発熱する複数の電気ヒータでもよい。
【００１９】
＜給湯用熱交換器＞
給湯用熱交換器３０は、減圧弁１３の上流の減圧されていない給水を加熱し、高温水を生成するものである。
具体的には、給湯用熱交換器３０の一次側流路３０ａの出口は、配管３１ａ、給湯ポンプ３１、配管３１ｂを介して、タンク１１の下部に接続されており、タンク１１の上部は、配管３１ｃを介して、一次側流路３０ａの入口に接続されている。そして、コントローラ９０の指令に従って給湯ポンプ３１が作動すると、高温のタンク水がタンク１１と給湯用熱交換器３０との間で循環するようになっている。
【００２０】
一方、給湯用熱交換器３０の二次側流路３０ｂの入口は、配管３０ｃを介して減圧弁１３の上流の配管１３ａに接続されている。
そして、高温のタンク水が循環した状態で、給水が二次側流路３０ｂを通流すると、高温のタンク水と低温の給水との間で熱交換し、給水が加熱されて、高温水が生成するようになっている。
【００２１】
＜給湯回路＞
給湯回路４０は、配管４１ａと、流量センサ４１と、温度センサ４２と、を備えている。
配管４１ａは、給湯用熱交換器３０の二次側流路３０ｂの出口と、温水コックＸとを接続している。そして、給湯用熱交換器３０で生成した給湯（高温水）は、配管４１ａを通って温水コックＸに供給されるようになっている。
【００２２】
流量センサ４１は、配管４１ａに取り付けられており、配管４１ａを通流する給湯の流量を検出し、コントローラ９０に出力するようになっている。そして、コントローラ９０は、給湯の流量が０よりも大きい場合、現在、給湯要求があると判定するように設定されている。
【００２３】
温度センサ４２は、給湯用熱交換器３０で生成した高温水の温度（出口温度という）を検出するように、配管４１ａの給湯用熱交換器３０側に取り付けられている。そして、温度センサ４２は、検出した出口温度をコントローラ９０に出力するようになっている。
【００２４】
＜湯張り回路、混合弁＞
湯張り回路５０は、配管５１ａ〜５１ｄと、湯張り時に開かれる常閉型の湯張り弁５１（遮断弁）と、流量センサ５２と、温度センサ５３と、を備えている。
配管４１ａは、配管５１ａを介して、混合弁６０の第１入口ポートに接続されている。そして、給湯用熱交換器３０からの高温水は、配管５１ａを通って、混合弁６０に供給されるようになっている。
配管３０ｃは、配管５１ｂを介して、混合弁６０の第２入口ポートに接続されている。そして、配管３０ｃからの給水は、配管５１ｂを通って、混合弁６０に接続されている。
【００２５】
混合弁６０は、コントローラ９０の指令に従って、配管５１ａからの高温水と配管５１ｂからの給水との混合比を適宜に制御し、浴槽Ｙに向かう湯張り水の温度を制御する弁である。
混合弁６０の出口ポートは、配管５１ｃ、湯張り弁５１、配管５１ｄを介して、浴槽Ｙに接続されている。そして、混合弁６０で温度調整された湯張り水は、配管５１ｃ、湯張り弁５１、配管５１ｄを通って、浴槽Ｙに供給されるようになっている。
【００２６】
流量センサ５２は、配管５１ｄに取り付けられており、浴槽Ｙに向かう湯張り水の流量を検出し、コントローラ９０に出力するようになっている。
【００２７】
温度センサ５３は、配管５１ｄに取り付けられており、浴槽Ｙに向かう湯張り水の温度を検出し、コントローラ９０に出力するようになっている。
なお、湯張り時以外において、配管５１ｄは浴槽Ｙの浴水で満たされるから、温度センサ５３を介して、現在の浴水の温度（ふろ温度）も検出されるようになっている。ただし、浴槽Ｙにふろ温度検出用の温度センサを別途取り付けてもよい。
【００２８】
＜追焚き回路＞
追焚き回路７０は、追焚き時に作動し、浴槽Ｙの浴水を循環させる追焚きポンプ７１を備えている。
【００２９】
さらに説明すると、配管５１ｄは、配管７１ａを介して、追焚きポンプ７１の吸入口に接続されており、追焚きポンプ７１の吐出口は、配管７１ｂを介して、浴槽Ｙに接続されている。配管７１ｂの途中は、高温のタンク水が貯溜しやすいタンク１１内の上部を蛇行しながら経由しており、高温のタンク水と、循環する浴水とを熱交換させ、浴水を加熱する熱交換部７２を構成している。
【００３０】
＜リモコン＞
リモコン８０は、浴室やキッチンに配置され、湯張り等をするため人が操作する装置である。そして、リモコン８０は、湯張りボタン８１と、温調ボタン８２、８３と、ふろ量調整ボタン８４と、液晶部８５と、を備えている。
【００３１】
湯張りボタン８１は、浴槽Ｙに湯張りする湯張り時にＯＮされるボタンである。温調ボタン８２は、給湯温度を調整・設定する場合に操作されるボタンである。温調ボタン８３は、ふろ温度を調整・設定する場合に操作されるボタンである。ふろ量調整ボタン８４は、浴槽Ｙに貯溜する浴水を調整・設定する場合に操作されるボタンである。液晶部８５は、設定されている給湯温度、ふろ温度、ふろ量を表示する部分である。
【００３２】
＜コントローラ＞
コントローラ９０（制御手段）は、給湯機１を電子制御する制御装置であり、ＣＰＵ、ＲＯＭ、ＲＡＭ、各種インタフェイス、電子回路などを含んで構成されており、その内部に記憶されたプログラムに従って、各種機能を発揮し、各種機器を制御するようになっている。
【００３３】
≪給湯機の動作≫
次に、給湯機１の動作について、図２〜図１２を参照して説明する。
【００３４】
≪制御パターン選択処理≫
まず、図２を参照して、給湯機１の制御パターンＡ〜Ｃを選択する処理を説明する。なお、図２の処理は所定周期にて繰り返されている。
【００３５】
ステップＳ１１において、コントローラ９０は、リモコン８０に設定された設定給湯温度は設定ふろ温度と等しいか否か判定する。
設定給湯温度は設定ふろ温度と等しいと判定した場合（Ｓ１１・Ｙｅｓ）、コントローラ９０の処理はステップＳ１２に進む。一方、設定給湯温度は設定ふろ温度と等しくないと判定した場合（Ｓ１１・Ｎｏ）、コントローラ９０の処理はステップＳ１３に進む。
【００３６】
ステップＳ１２において、コントローラ９０は、制御パターンＡを動作モードとして選択し、記憶する。
その後、コントローラ９０の処理は、リターンを通って、スタートに戻る。
【００３７】
ステップＳ１３において、コントローラ９０は、設定給湯温度は設定ふろ温度よりも高いか否か判定する。
設定給湯温度は設定ふろ温度よりも高いと判定した場合（Ｓ１３・Ｙｅｓ）、コントローラ９０の処理はステップＳ１４に進む。一方、設定給湯温度は設定ふろ温度よりも高くないと判定した場合（Ｓ１３・Ｎｏ）、コントローラ９０の処理はステップＳ１５に進む。なお、ステップＳ１５に進む場合は、設定給湯温度は設定ふろ温度よりも低い場合である。
【００３８】
ステップＳ１４において、コントローラ９０は、制御パターンＢを動作モードとして選択し、記憶する。
その後、コントローラ９０の処理は、リターンを通って、スタートに戻る。
【００３９】
ステップＳ１５において、コントローラ９０は、制御パターンＣを動作モードとして選択し、記憶する。
その後、コントローラ９０の処理は、リターンを通って、スタートに戻る。
【００４０】
『制御パターンＡ、設定給湯温度＝設定ふろ温度』
次に、図３〜図５を参照して、制御パターンＡが選択されている場合における給湯機１の動作を説明する。
【００４１】
ステップＳ１０１において、コントローラ９０は、給湯要求があるか否か判定する。具体的には、流量センサ４１を介して検出される温水コックＸに向かう給湯の流量が、０よりも大きい場合、温水コックＸは開いており、給湯要求があると判定される。
給湯要求はあると判定した場合（Ｓ１０１・Ｙｅｓ）、コントローラ９０の処理はステップＳ１０２に進む。一方、給湯要求はないと判定した場合（Ｓ１０１・Ｎｏ）、コントローラ９０の処理はステップＳ１０８に進む。
【００４２】
＜給湯運転＞
ステップＳ１０２において、コントローラ９０は、給湯運転を実行する。
具体的には、図４の給湯運転のフローに移行する。なお、このよう移行する場合にいて、給湯ポンプ３１が停止しているとき、給湯ポンプ３１を所定回転速度にて回転させる。
【００４３】
ステップＳ２０１において、コントローラ９０は、リモコン８０に設定された設定給湯温度が、温度センサ４２を介して検出される給湯用熱交換器３０の出口温度よりも高いか否か判定する。
【００４４】
設定給湯温度は出口温度よりも高いと判定した場合（Ｓ２０１・Ｙｅｓ）、コントローラ９０の処理はステップＳ２０２に進む。なお、このようにステップＳ２０２に進む場合は、給湯がヌルイ場合である。
一方、設定給湯温度は出口温度よりも高くないと判定した場合（Ｓ２０１・Ｎｏ）、コントローラ９０の処理はステップＳ２０３に進む。なお、このようにステップＳ２０３に進む場合は、給湯がアツイ場合である。
【００４５】
ステップＳ２０２において、コントローラ９０は、出口温度が設定給湯温度となるように、給湯ポンプ３１の回転速度を増加させる。
その後、コントローラ９０の処理は、エンドを通って、図３のステップＳ１０３に進む。
【００４６】
ステップＳ２０３において、コントローラ９０は、出口温度が設定給湯温度となるように、給湯ポンプ３１の回転速度を減少させる。
その後、コントローラ９０の処理は、エンドを通って、図３のステップＳ１０３に進む。
【００４７】
図３に戻って説明を続ける。
ステップＳ１０３において、コントローラ９０は、湯張り要求があるか否か判定する。具体的には、リモコン８０の湯張りボタン８１がＯＮされている場合、湯張り要求はあると判定される。
湯張り要求はあると判定した場合（Ｓ１０３・Ｙｅｓ）、コントローラ９０の処理はステップＳ１０４に進む。一方、湯張り要求はないと判定した場合（Ｓ１０３・Ｎｏ）、コントローラ９０の処理はステップＳ１０１に進む。この場合、給湯運転が単独で継続されることになる。
【００４８】
ステップＳ１０４において、コントローラ９０は、湯張り弁５１を開く。
【００４９】
ステップＳ１０５において、コントローラ９０は、混合弁６０の給湯側を全開にする。混合弁６０の給湯側を全開にするとは、配管５１ａからの給湯と、配管５１ｂからの給水との混合比を、「給湯：給水＝１００：０」にすることを意味する。
【００５０】
そうすると、設定ふろ温度の温水（給湯）が、湯張り水として、給湯用熱交換器３０から、配管５１ａ、配管５１ｃ、配管５１ｄを通って、浴槽Ｙに供給され、湯張りが進む。
なお、「設定給湯温度＝設定ふろ温度」であって、ステップＳ１０２の処理が実行されているので、浴槽Ｙに向かう湯張り水の温度は設定ふろ温度となっている。
【００５１】
ステップＳ１０６において、コントローラ９０は、湯張り開始後、浴槽Ｙに貯溜された浴水の量（実測ふろ量）が、リモコン８０に設定されている設定ふろ量以上であるか否か判定する。
なお、実測ふろ量は、流量センサ５２を介して検出される湯張り水の流量を時間で積分することで算出される。
【００５２】
実測ふろ量は設定ふろ量以上であると判定した場合（Ｓ１０６・Ｙｅｓ）、コントローラ９０の処理は、ステップＳ１０７に進む。一方、実測ふろ量は設定ふろ量以上でないと判定した場合（Ｓ１０６・Ｎｏ）、コントローラ９０はステップＳ１０６の判定を繰り返す。
【００５３】
ステップＳ１０７において、コントローラ９０は、湯張り弁５１を閉じ、湯張りを終了する。また、コントローラ９０は、湯張り要求をリセットする。
その後、コントローラ９０の処理は、ステップＳ１０１に進む。
【００５４】
次に、ステップＳ１０１の判定結果がＮｏとなって進むステップＳ１０８を説明する。
ステップＳ１０８において、コントローラ９０は、湯張り要求があるか否か判定する。
湯張り要求はあると判定した場合（Ｓ１０８・Ｙｅｓ）、コントローラ９０の処理はステップＳ１０９に進む。一方、湯張り要求はないと判定した場合（Ｓ１０８・Ｎｏ）、コントローラ９０の処理はステップＳ１０１に進む。
【００５５】
＜湯張り運転＞
ステップＳ１０９において、コントローラ９０は、湯張り運転を実行する。
具体的には、図５の湯張り運転のフローに移行する。なお、このように移行する場合において、給湯ポンプ３１が停止しているとき、給湯ポンプ３１を所定回転速度にて回転させる。
【００５６】
ステップＳ３０１において、コントローラ９０は、湯張り弁５１を開く。
【００５７】
ステップＳ３０２において、コントローラ９０は、混合弁６０の給湯側を全開にする。
そうすると、湯張り水（高温水）が、給湯用熱交換器３０から、配管５１ａ、配管５１ｃ、配管５１ｄを通って、浴槽Ｙに供給され、湯張りが進む。
【００５８】
ステップＳ３０３において、コントローラ９０は、リモコン８０に設定された設定ふろ温度が、温度センサ４２を介して検出される出口温度（湯張り水の温度）よりも高いか否か判定する。
【００５９】
設定ふろ温度は出口温度よりも高いと判定した場合（Ｓ３０３・Ｙｅｓ）、コントローラ９０の処理はステップＳ３０４に進む。なお、このようにステップＳ３０４に進む場合は、湯張り水がヌルイ場合である。
一方、設定ふろ温度は出口温度よりも高くないと判定した場合（Ｓ３０３・Ｎｏ）、コントローラ９０の処理はステップＳ３０５に進む。なお、このようにステップＳ３０５に進む場合は、湯張り水がアツイ場合である。
【００６０】
ステップＳ３０４において、コントローラ９０は、出口温度が設定ふろ温度となるように、給湯ポンプ３１の回転速度を増加させる。
【００６１】
ステップＳ３０５において、コントローラ９０は、出口温度が設定ふろ温度となるように、給湯ポンプ３１の回転速度を減少させる。
【００６２】
ステップＳ３０６において、コントローラ９０は、湯張り開始後、浴槽Ｙに貯溜された浴水の量（実測ふろ量）が、リモコン８０に設定されている設定ふろ量以上であるか否か判定する。
実測ふろ量は設定ふろ量以上であると判定した場合（Ｓ３０６・Ｙｅｓ）、コントローラ９０の処理は、ステップＳ３０７に進む。一方、実測ふろ量は設定ふろ量以上でないと判定した場合（Ｓ３０６・Ｎｏ）、コントローラ９０はステップＳ３０６の判定を繰り返す。
【００６３】
ステップＳ３０７において、コントローラ９０は、湯張り弁５１を閉じる。これにより、湯張りは終了する。また、コントローラ９０は、湯張り要求をリセットする。
その後、コントローラ９０の処理は、エンドを通って、図３のステップＳ１０１に進む。
【００６４】
『制御パターンＢ、設定給湯温度＞設定ふろ温度』
次に、図６〜図８を参照して、制御パターンＢが選択されている場合における給湯機１の動作を説明する。
【００６５】
『制御パターンＢ−基本動作』
まず、図６を参照して、制御パターンＢの基本動作を説明する。
ステップＳ４０１において、コントローラ９０は、給湯要求があるか否か判定する。
給湯要求はあると判定した場合（Ｓ４０１・Ｙｅｓ）、コントローラ９０の処理はステップＳ４０２に進む。なお、この場合、給湯運転が、湯張り運転よりも先に実行されることになる。
一方、給湯要求はないと判定した場合（Ｓ４０１・Ｎｏ）、コントローラ９０の処理はステップＳ４０３に進む。
【００６６】
ステップＳ４０２において、コントローラ９０は、制御パターンＢ１で給湯機１を動作させる。制御パターンＢ１の内容は後で説明する。
【００６７】
ステップＳ４０３において、コントローラ９０は、湯張り要求があるか否か判定する。
湯張り要求はあると判定した場合（Ｓ４０３・Ｙｅｓ）、コントローラ９０の処理はステップＳ４０４に進む。なお、この場合、湯張り運転が、給湯運転よりも先に実行されることになる。
一方、湯張り要求はないと判定した場合（Ｓ４０３・Ｎｏ）、コントローラ９０の処理はステップＳ４０１に進む。
【００６８】
ステップＳ４０４において、コントローラ９０は、制御パターンＢ２で給湯機１を動作させる。制御パターンＢ２の内容は後で説明する。
【００６９】
『制御パターンＢ１−先に給湯運転』
次に、図７を参照して、先に給湯運転が実行される制御パターンＢ１の内容を説明する。
ステップＳ５０１において、コントローラ９０は、ステップＳ１０２（図３参照）と同様に、給湯運転を実行する（図４参照）。
【００７０】
ステップＳ５０２において、コントローラ９０は、給湯要求が継続しているか否か判定する。
給湯要求が継続していると判定した場合（Ｓ５０２・Ｙｅｓ）、コントローラ９０の処理はステップＳ５０３に進む。
一方、給湯要求は継続していないと判定した場合（Ｓ５０２・Ｎｏ）、コントローラ９０の処理はエンドを通って、図６のステップＳ４０１に進む。この場合、コントローラ９０は、給湯ポンプ３１を停止し、給湯運転を終了する。
【００７１】
ステップＳ５０３において、コントローラ９０は、湯張り要求があるか否か判定する。
湯張り要求はあると判定した場合（Ｓ５０３・Ｙｅｓ）、コントローラ９０の処理はステップＳ５０４に進む。一方、湯張り要求はないと判定した場合（Ｓ５０３・Ｎｏ）、コントローラ９０の処理はステップＳ５０１に進む。
【００７２】
ステップＳ５０４において、コントローラ９０は、湯張り弁５１を開く。
【００７３】
ステップＳ５０５において、コントローラ９０は、混合弁６０の給湯側を全開にする。
【００７４】
ステップＳ５０６において、コントローラ９０は、湯張り開始後、浴槽Ｙに貯溜された浴水の量（実測ふろ量）が、リモコン８０に設定されている設定ふろ量以上であるか否か判定する。
実測ふろ量は設定ふろ量以上であると判定した場合（Ｓ５０６・Ｙｅｓ）、コントローラ９０の処理は、ステップＳ５０７に進む。一方、実測ふろ量は設定ふろ量以上でないと判定した場合（Ｓ５０６・Ｎｏ）、コントローラ９０の処理は、ステップＳ５０８に進む。
【００７５】
ステップＳ５０７において、コントローラ９０は、湯張り弁５１を閉じ、湯張りを終了する。また、コントローラ９０は、湯張り要求をリセットする。
その後、コントローラ９０の処理は、ステップＳ５０１に進む。
【００７６】
ステップＳ５０８において、温度センサ５３を介して検出される湯張り水の温度が、設定ふろ温度と等しいか否か判定する。
湯張り水の温度は設定ふろ温度と等しいと判定した場合（Ｓ５０８・Ｙｅｓ）、コントローラ９０の処理はステップＳ５０６に進む。一方、湯張り水の温度は設定ふろ温度と等しくないと判定した場合（Ｓ５０８・Ｎｏ）、コントローラ９０の処理はステップＳ５０９に進む。
【００７７】
ステップＳ５０９において、コントローラ９０は、湯張り水の温度が設定ふろ温度と等しくなるように混合弁６０を制御する。
すなわち、湯張り水の温度が設定ふろ温度よりも高い場合、低温の給水の混合比を多くする。一方、湯張り水の温度が設定ふろ温度よりも低い場合、高温の給湯の混合比を多くする。
その後、コントローラ９０の処理は、ステップＳ５０８に進む。
【００７８】
『制御パターンＢ１の効果』
このような制御パターンＢ１によれば、次の効果を得る。
「設定給湯温度＞設定ふろ温度」であり、先に給湯運転が実行されている場合において（Ｓ５０１）、湯張り要求があるとき（Ｓ５０３・Ｙｅｓ）、湯張り水の温度が設定ふろ温度（目標第２温度）となるように、混合弁６０を制御することにより（Ｓ５０９）、設定ふろ温度の湯張り水を浴槽Ｙに供給できる。
すなわち、温水コックＸ及び／又は浴槽Ｙに向かう高温水の生成手段である給湯用熱交換器３０を共有しシステム構成を簡便としつつ、異なる温度の高温水を温水コックＸと浴槽Ｙとに供給できる。
【００７９】
『制御パターンＢ２−先に湯張り運転』
次に、図８〜図９を参照して、先に湯張り運転が実行される制御パターンＢ２の内容を説明する。
【００８０】
ステップＳ６０１において、コントローラ９０は、湯張り弁５１を開く。
【００８１】
ステップＳ６０２において、コントローラ９０は、混合弁６０の給湯側を全開にする。
【００８２】
ステップＳ６０３において、コントローラ９０は、湯張り開始後、浴槽Ｙに貯溜された浴水の量（実測ふろ量）が、リモコン８０に設定されている設定ふろ量以上であるか否か判定する。
実測ふろ量は設定ふろ量以上であると判定した場合（Ｓ６０３・Ｙｅｓ）、コントローラ９０の処理は、ステップＳ６０４に進む。一方、実測ふろ量は設定ふろ量以上でないと判定した場合（Ｓ６０３・Ｎｏ）、コントローラ９０の処理は、ステップＳ６０５に進む。
【００８３】
ステップＳ６０４において、コントローラ９０は、湯張り弁５１を閉じる。これにより、湯張りは終了する。また、コントローラ９０は、湯張り要求をリセットする。
その後、コントローラ９０の処理は、エンドを通って、図６のステップＳ４０１に進む。
【００８４】
ステップＳ６０５において、コントローラ９０は、リモコン８０に設定された設定ふろ温度が、温度センサ４２を介して検出される出口温度よりも高いか否か判定する。
【００８５】
設定ふろ温度は出口温度よりも高いと判定した場合（Ｓ６０５・Ｙｅｓ）、コントローラ９０の処理はステップＳ６０６に進む。なお、このようにステップＳ６０６に進む場合は、湯張り水がヌルイ場合である。
一方、設定ふろ温度は出口温度よりも高くないと判定した場合（Ｓ６０５・Ｎｏ）、コントローラ９０の処理はステップＳ６０７に進む。なお、このようにステップＳ６０７に進む場合は、湯張り水がアツイ場合である。
【００８６】
ステップＳ６０６において、コントローラ９０は、温度センサ４２を介して検出される出口温度が設定ふろ温度となるように、給湯ポンプ３１の回転速度を増加させる。
【００８７】
ステップＳ６０７において、コントローラ９０は、温度センサ４２を介して検出される出口温度が設定ふろ温度となるように、給湯ポンプ３１の回転速度を減少させる。
【００８８】
ステップＳ６０８において、コントローラ９０は、給湯要求があるか否か判定する。
給湯要求はあると判定した場合（Ｓ６０８・Ｙｅｓ）、コントローラ９０の処理はステップＳ６０９に進む。一方、給湯要求はないと判定した場合（Ｓ６０８・Ｎｏ）、コントローラ９０の処理はステップＳ６０３に進む。
【００８９】
ステップＳ６０９において、コントローラ９０は、湯張り弁５１を一旦閉じる。これにより、湯張りが一旦中断される。
【００９０】
ステップＳ６１０において、コントローラ９０は、設定給湯温度が出口温度よりも高いか否か判定する。
【００９１】
設定給湯温度は出口温度よりも高いと判定した場合（Ｓ６１０・Ｙｅｓ）、コントローラ９０の処理はステップＳ６１１に進む。なお、このようにステップＳ６１１に進む場合は、給湯がヌルイ場合である。
一方、設定給湯温度は出口温度よりも高くないと判定した場合（Ｓ６１０・Ｎｏ）、コントローラ９０の処理はステップＳ６１２に進む。なお、このようにステップＳ６１２に進む場合は、給湯がアツイ場合である。
【００９２】
ステップＳ６１１において、コントローラ９０は、出口温度が設定給湯温度となるように、給湯ポンプ３１の回転速度を増加させる。
【００９３】
ステップＳ６１２において、コントローラ９０は、出口温度が設定給湯温度となるように、給湯ポンプ３１の回転速度を減少させる。
【００９４】
ステップＳ６１３において、コントローラ９０は、湯張り弁５１を再び開く。
【００９５】
ステップＳ６１４において、コントローラ９０は、湯張り開始後、浴槽Ｙに貯溜された浴水の量（実測ふろ量）が、リモコン８０に設定されている設定ふろ量以上であるか否か判定する。
実測ふろ量は設定ふろ量以上であると判定した場合（Ｓ６１４・Ｙｅｓ）、コントローラ９０の処理は、ステップＳ６１５に進む。
一方、実測ふろ量は設定ふろ量以上でないと判定した場合（Ｓ６１４・Ｎｏ）、コントローラ９０の処理は、ステップＳ６１６に進む。
【００９６】
ステップＳ６１５において、コントローラ９０は、湯張り弁５１を閉じる。これにより、湯張りは終了する。また、コントローラ９０は、湯張り要求をリセットする。
その後、コントローラ９０の処理は、エンドを通って、図６のステップＳ４０１に進む。
【００９７】
ステップＳ６１６において、温度センサ５３を介して検出される湯張り水の温度が、設定ふろ温度と等しいか否か判定する。
【００９８】
湯張り水の温度は設定ふろ温度と等しいと判定した場合（Ｓ６１６・Ｙｅｓ）、コントローラ９０の処理はステップＳ６１４に進む。
一方、湯張り水の温度は設定ふろ温度と等しくないと判定した場合（Ｓ６１６・Ｎｏ）、コントローラ９０の処理はステップＳ６１７に進む。
【００９９】
ステップＳ６１７において、コントローラ９０は、湯張り水の温度が設定ふろ温度と等しくなるように混合弁６０を制御する。
すなわち、湯張り水の温度が設定ふろ温度よりも高い場合、低温の給水の混合比を多くする。一方、湯張り水の温度が設定ふろ温度よりも低い場合、高温の給湯の混合比を多くする。
その後、コントローラ９０の処理は、ステップＳ６１６に進む。
【０１００】
『制御パターンＢ２の効果』
このような制御パターンＢ２によれば、次の効果を得る。
「設定給湯温度＞設定ふろ温度」であり、先に湯張り運転が実行されている場合において（Ｓ６０１、Ｓ６０２）、給湯要求があるとき（Ｓ６０８・Ｙｅｓ）、湯張り弁５１を一旦閉じ（Ｓ６０９）、給湯を優先させることできる。
そして、出口温度が設定給湯温度（目標第１温度）となるように制御した後（Ｓ６１０〜Ｓ６１２）、湯張り弁５１を再び開き（Ｓ６１３）、湯張り水の温度が設定ふろ温度（目標第２温度）となるように、混合弁６０を制御することにより（Ｓ６１７）、設定ふろ温度の湯張り水を浴槽Ｙに供給できる。
【０１０１】
『制御パターンＣ、設定給湯温度＜設定ふろ温度』
次に、図１０〜図１２を参照して、制御パターンＣが選択されている場合における給湯機１の動作を説明する。
【０１０２】
＜制御パターンＣ−基本動作＞
まず、図１０を参照して、制御パターンＣの基本動作を説明する。
ステップＳ７０１において、コントローラ９０は、給湯要求があるか否か判定する。
給湯要求はあると判定した場合（Ｓ７０１・Ｙｅｓ）、コントローラ９０の処理はステップＳ７０２に進む。なお、この場合、給湯運転が、湯張り運転よりも先に実行されることになる。
一方、給湯要求はないと判定した場合（Ｓ７０１・Ｎｏ）、コントローラ９０の処理はステップＳ７０３に進む。
【０１０３】
ステップＳ７０２において、コントローラ９０は、制御パターンＣ１で給湯機１を動作させる。制御パターンＣ１の内容は後で説明する。
【０１０４】
ステップＳ７０３において、コントローラ９０は、湯張り要求があるか否か判定する。
湯張り要求はあると判定した場合（Ｓ７０３・Ｙｅｓ）、コントローラ９０の処理はステップＳ７０４に進む。なお、この場合、湯張り運転が、給湯運転よりも先に実行されることになる。
一方、湯張り要求はないと判定した場合（Ｓ７０３・Ｎｏ）、コントローラ９０の処理はステップＳ７０１に進む。
【０１０５】
ステップＳ７０４において、コントローラ９０は、制御パターンＣ２で給湯機１を動作させる。制御パターンＣ２の内容は後で説明する。
【０１０６】
『制御パターンＣ１−先に給湯運転』
次に、図１１を参照して、先に給湯運転が実行される制御パターンＣ１の内容を説明する。なお、制御パターンＣ１の内容は、図７の制御パターンＢ１と一部異なるのみであり、異なる部分を説明する。
【０１０７】
制御パターンＣ１では、ステップＳ５０６の判定結果がＮｏの場合（Ｓ５０６・Ｎｏ）、コントローラ９０は、ステップＳ５０６の判定を繰り返す。
【０１０８】
制御パターンＣ１では、ステップＳ５０７の後、コントローラ９０の処理は、ステップＳ８０１に進む。
ステップＳ８０１において、コントローラ９０は、温度センサ５３を介して検出される実測ふろ温度が設定ふろ温度以上であるか否か判定する。
実測ふろ温度は設定ふろ温度以上であると判定した場合（Ｓ８０１・Ｙｅｓ）、コントローラ９０の処理はステップＳ８０２に進む。一方、実測ふろ温度は設定ふろ温度以上でないと判定した場合（Ｓ８０１・Ｎｏ）、コントローラ９０の処理はステップＳ８０３に進む。
【０１０９】
ステップＳ８０２において、コントローラ９０は、追焚きポンプ７１を停止する。これにより、追焚きは停止される。
その後、コントローラ９０の処理は、ステップＳ５０１に進む。
【０１１０】
ステップＳ８０３において、コントローラ９０は、追焚きポンプ７１を作動させる。そうすると、浴槽Ｙの浴水は、配管５１ｄの一部、配管７１ａ、配管７１ｂを通流し、浴水が浴槽Ｙと熱交換部７２との間で循環する。そして、浴水は、熱交換部７２を通流する際に、高温のタンク水により加熱され、その結果、追焚きが進む。
その後、コントローラ９０の処理は、ステップＳ８０１に進む。
【０１１１】
『制御パターンＣ１の効果』
このような制御パターンＣ１によれば、次の効果を得る。
「設定給湯温度＜設定ふろ温度」であり、先に給湯運転が実行されている場合において（Ｓ５０１）、湯張り要求があるとき（Ｓ５０３・Ｙｅｓ）、追焚き回路７０（第２加熱手段）で追焚きすることにより（Ｓ８０３）、浴槽Ｙの浴水を設定ふろ温度に加熱できる。
【０１１２】
『制御パターンＣ２−先に湯張り運転』
次に、図１２を参照して、先に湯張り運転が実行される制御パターンＣ２の内容を説明する。なお、制御パターンＣ２の内容は、図８〜図９の制御パターンＢ２と一部異なるのみであり、異なる部分を説明する。
【０１１３】
制御パターンＣ２では、ステップＳ６１４の判定結果がＮｏの場合（Ｓ６１４・Ｎｏ）、コントローラ９０は、ステップＳ６１４の判定を繰り返す。
一方、ステップＳ６１４の判定結果がＹｅｓの場合（Ｓ６１４・Ｙｅｓ）、コントローラ９０の処理は、ステップＳ９０１に進む。
【０１１４】
ステップＳ９０１において、コントローラ９０は、湯張り弁５１を閉じる。これにより、湯張りは終了する。また、コントローラ９０は、湯張り要求をリセットする。
【０１１５】
ステップＳ９０２において、コントローラ９０は、温度センサ５３を介して検出される実測ふろ温度が設定ふろ温度以上であるか否か判定する。
実測ふろ温度は設定ふろ温度以上であると判定した場合（Ｓ９０２・Ｙｅｓ）、コントローラ９０の処理はステップＳ９０３に進む。一方、実測ふろ温度は設定ふろ温度以上でないと判定した場合（Ｓ９０２・Ｎｏ）、コントローラ９０の処理は、ステップＳ９０４に進む。
【０１１６】
ステップＳ９０３において、コントローラ９０は、追焚きポンプ７１を停止する。これにより、追焚きは停止される。
その後、コントローラ９０の処理は、エンドを通って、図１０のステップＳ７０１に進む。
【０１１７】
ステップＳ９０４において、コントローラ９０は、追焚きポンプ７１を作動させる。そうすると、浴槽Ｙの浴水は、配管５１ｄの一部、配管７１ａ、配管７１ｂを通流し、浴水が浴槽Ｙと熱交換部７２との間で循環する。そして、浴水は、熱交換部７２を通流する際に、高温のタンク水により加熱され、その結果、追焚きが進む。
その後、コントローラ９０の処理は、ステップＳ９０２に進む。
【０１１８】
『制御パターンＣ２の効果』
このような制御パターンＣ２によれば、次の効果を得る。
「設定給湯温度＜設定ふろ温度」であり、先に湯張り運転が実行されている場合において（図８、Ｓ６０１、Ｓ６０２）、給湯要求があるとき（図８、Ｓ６０８・Ｙｅｓ）、湯張り弁５１を一旦閉じ（図８、Ｓ６０９）、給湯を優先させることできる。
そして、出口温度が設定給湯温度（目標第１温度）となるように制御し（Ｓ６１０〜Ｓ６１２）、湯張り弁５１を再び開き（Ｓ６１３）、設定給湯温度の湯張り水で湯張りした後（Ｓ９０１）、追焚き回路７０（第２加熱手段）で追焚きすることにより（Ｓ９０４）、浴槽Ｙの浴水を設定ふろ温度に加熱できる。
【０１１９】
≪変形例≫
以上、本発明の一実施形態について説明したが、本発明はこれに限定されず、例えば次のように変更できる。
【０１２０】
前記した実施形態では、加熱対象である浴水の通流する配管７１ｂがタンク１１内を蛇行させることで熱交換部７２が構成された場合を例示したが（図１参照）、配管７１ｂがタンク１１内を経由しないと共に、タンク１１内の高温水を別系統で循環させ、この別系統を循環する高温水と循環する浴水とが熱交換するように、タンク１１の外部に熱交換器（第２加熱手段）を備える構成としてもよい。
【０１２１】
前記した実施形態では、加熱対象である第２熱媒体が浴水（水）である場合を例示したが、これに限定されることはない。例えば、潜熱蓄熱材を含む液体、ブライン、不凍液でもよい。
【符号の説明】
【０１２２】
１      給湯機（高温媒体供給装置）
１１    タンク
２０    ヒートポンプ
３０    給湯用熱交換器（第１加熱手段）
３１    給湯ポンプ
４０    給湯回路（第１供給回路）
５０    湯張り回路（第２供給回路）
５１    湯張り弁（遮断弁）
６０    混合弁（第１混合弁）
７０    追焚き回路（第２加熱手段）
７１    追焚きポンプ
７２    熱交換部
８０    リモコン
９０    コントローラ
Ｘ      温水コック（第１端末）
Ｙ      浴槽（第２端末）
【図１】
2012017958.tif 000003
【図２】
2012017958.tif 000004
【図３】
2012017958.tif 000005
【図４】
2012017958.tif 000006
【図５】
2012017958.tif 000007
【図６】
2012017958.tif 000008
【図７】
2012017958.tif 000009
【図８】
2012017958.tif 000010
【図９】
2012017958.tif 000011
【図１０】
2012017958.tif 000012
【図１１】
2012017958.tif 000013
【図１２】
2012017958.tif 000014